(57)【要約】【課題】例えば液晶パネル等の電気光学パネルと、該電気光学パネルに光を照射するためのバックライトユニットとを備えた電気光学装置およびそれを用いた電子機器を、部品点数および組立工数が少なく、製作および組立が容易で安価に量産できるようにする。【解決手段】電気光学パネル２と、該電気光学パネル２の背面に対向配置されるバックライトユニット３とを備えた電気光学装置１において、前記電気光学パネル２の画素領域に対応する位置に表示窓５ａを有する有底筒状または筒状のケース５内に、前記電気光学パネル２とバックライトユニット３とを互いに対向させた状態で収容配置したことを特徴とする。【選択図】  図２
2010117639.tif 000002
【特許請求の範囲】
【請求項１】
電気光学パネルと、該電気光学パネルに対向配置されるバックライトユニットと、前記
電気光学パネル及び前記バックライトを収容するケースとを備えた電気光学装置であって
、
前記電気光学パネルの画素領域に対応する位置に表示窓を有する筒状の前記ケース内に
、前記電気光学パネルとバックライトユニットとを互いに対向させた状態で収容配置した
ことを特徴とする電気光学装置。
【請求項２】
前記電気光学パネルとバックライトユニットとを互いに対向させた状態で支持部材に支
持させ、該支持部材とともに前記ケース内に収容配置したことを特徴とする請求項１に記
載の電気光学装置。
【請求項３】
前記支持部材として方形枠状のフレームを用いたことを特徴とする請求項２に記載の電
気光学装置。
【請求項４】
前記支持部材として上面が開口する容器を用いたことを特徴とする請求項２に記載の電
気光学装置。
【請求項５】
前記電気光学パネルとバックライトユニットとを互いに対向させた状態で重ね合わせて
前記ケース内に収容配置したことを特徴とする請求項１に記載の電気光学装置。
【請求項６】
前記電気光学パネルとバックライトユニットとを前記ケース内に収容配置する際の位置
決めストッパを設けたことを特徴とする請求項１〜５のいずれかに記載の電気光学装置。
【請求項７】
前記電気光学パネルとバックライトユニットとを前記ケース内に収容配置した状態で係
止させるための係止手段を設けたことを特徴とする請求項１〜６のいずれかに記載の電気
光学装置。
【請求項８】
請求項１〜７のいずれかに記載の電気光学装置を有することを特徴とする電子機器。
【発明の詳細な説明】
【技術分野】
【０００１】
本発明は液晶装置等の電気光学装置および電子機器に関する。更に詳しくは、液晶パネ
ル等の電気光学パネルと、その電気光学パネルに光を照射するためのバックライトユニッ
トとを備えた電気光学装置およびそれを用いた電子機器に関するものである。
【背景技術】
【０００２】
従来、例えば液晶装置等の電気光学装置は、コンピュータや携帯電話その他各種電子機
器における表示装置などとして用いられ、特に液晶装置は軽量・薄型で消費電力も少ない
ことから各種電子機器の表示装置として広く利用されている。また上記のような液晶装置
等の電気光学装置においては、液晶パネル等の電気光学パネルの背面側に、いわゆるバッ
クライトを備えたものが多く用いられている。
【０００３】
この種のバックライトは、照明用の光源と、その光源からの光を上記パネルに導くため
の導光板や光拡散板などを1つのユニットとして構成するのが一般的であり、そのような
ユニット化したバックライトユニットを上記電気光学パネルの背面側に対向配置して該バ
ックライトユニットからの光を上記パネルに背面側から照射することによって該パネルの
正面側の画素領域に所望の画像等を表示するものである。
【０００４】
このようなバックライトユニットを備えた電気光学装置を１つの装置として構成する場
合、あるいは各種に電子機器等に実装する場合には、上記電気光学パネルとバックライト
ユニットとを何らかの手段で一体化した状態に保持させるのが一般的であり、例えば下記
特許文献１においては、液晶パネル等の電気光学パネルを、一対の額縁状のフレーム間に
収容し、そのフレームの背面側にバックライトユニットを配置すると共に、そのフレーム
とバックライトユニットとを凹凸係合等によって一体化させた構成が開示されている。
【０００５】
【特許文献１】特開２００２−５５３２９号公報
【発明の開示】
【発明が解決しようとする課題】
【０００６】
しかし、上記特許文献１のように、液晶パネル等の電気光学パネルを前後２つのフレー
ム間に収容配置すると共に、そのフレームの背面側にバックライトユニットを対向配置し
て凹凸係合等によって一体化するものは、部品点数および組立工数が多く、製作および組
立に多大な労力と時間を要し、製造コストが増大する等の問題があった。
【０００７】
本発明は上記の問題点に鑑みて提案されたもので、部品点数および組立工数が少なく、
製作および組立が容易で安価に量産することのできる電気光学装置およびそれを用いた電
子機器を提供することを目的とする。
【課題を解決するための手段】
【０００８】
上記の目的を達成するために、本発明による電気光学装置およびそれを用いた電子機器
は、以下の構成としたものである。すなわち、本発明による電気光学装置は、電気光学パ
ネルと、該電気光学パネルに対向配置されるバックライトユニットと、前記電気光学パネ
ル及び前記バックライトを収容するケースとを備えた電気光学装置であって、前記電気光
学パネルの画素領域に対応する位置に表示窓を有する筒状の前記ケース内に、前記電気光
学パネルとバックライトユニットとを互いに対向させた状態で収容配置したことを特徴と
する。
【０００９】
上記のように電気光学パネルとバックライトユニットとを互いに対向させた状態で筒状
のケース内に収容配置したことによって、前記従来のように電気光学パネルを前後２つの
フレーム間に収容配置して液晶パネルユニットを構成すると共に、その液晶パネルユニッ
トの背面側にバックライトユニットを対向配置して凹凸係合等によって一体化するものに
比べて、部品点数および組立工数を大幅に削減できると共に、組立時は電気光学パネルと
バックライトユニットとを互いに対向させた状態で上記ケース内に単に挿入するだけで極
めて簡単に一体化することが可能となり、容易・安価に量産および実装することができる
。
【００１０】
上記電気光学パネルとバックライトユニットとは、互いに対向させた状態で適宜の支持
部材に支持させ、その支持部材とともに上記ケース内に収容配置するようにしてもよい。
その支持部材としては、例えば方形枠状のフレーム、具体的には例えば周辺部に方形枠状
の側壁部を有し、その内方に、中央部に透光用の開口部４４ａを有する仕切板状の支持部
を一体に設けた断面略Ｈ字形のフレームを用い、そのＨ字形フレームの一方の凹部内に電
気光学パネルを、他方の凹部内にバックライトユニットをそれぞれ嵌合保持させた状態で
、そのフレームとともに上記パネルとバックライトユニットとを上記ケース内に収容配置
する。或いは上記支持部材として上面が開口した容器を用い、その容器内に電気光学パネ
ルとバックライトユニットとを収容した状態で上記ケース内に収容配置する。更には上記
支持部材としてトレーやその他各種の構成のものが適用可能である。
【００１１】
上記のようにフレームや容器もしくはトレー等の支持部材に支持させた状態で、その支
持部材とともに上記ケース内に収容配置するようにすると、電気光学パネルとバックライ
トユニットとを上記支持部材を介して良好に所定の位置に位置決め保持させた状態で上記
ケース内に収容配置できると共に、上記支持部材を介して上記パネルやバックライトユニ
ットをケース内に収容配置することで、それらのパネルやバックライトユニットが上記ケ
ースに直接触れて変形または損傷したり、或いは表示性能や機能が変動もしくは低下する
のを防止することが可能となる。
【００１２】
なお、上記電気光学パネルとバックライトユニットとは、上記のような支持部材を用い
ることなく、単に重ね合わせた状態で直接上記ケース内に収容配置してもよく、そのよう
にすると、構成が極めて簡単で容易・安価に実装することが可能となる。また上記電気光
学パネルとバックライトユニットとを重ねた状態で上記ケース内に収容する際に、必要に
応じて上記電気光学パネルとバックライトユニットとを接着材やその他適宜の手段で一体
的に固着してから上記ケース内に収容するようにしてもよく、そのようにすると、上記電
気光学パネルとバックライトユニットとが不用意にずれて表示性能が低下するのを防ぐこ
とができる。
【００１３】
上記電気光学パネルとバックライトユニットとを上記ケース内に収容配置する際には、
必要に応じて位置決めストッパを設けるようにしてもよく、そのようにすると、上記電気
光学パネルとバックライトユニットとを上記ケース内の所定の位置に簡単・確実に位置決
め配置することが可能となる。
【００１４】
また必要に応じて上記電気光学パネルとバックライトユニットとを上記ケース内に収容
配置した状態で係止させるための係止手段を設けるようにしてもよく、そのような係止手
段を設けると、上記電気光学パネルとバックライトユニットとを上記ケース内に収容配置
した状態に簡単・確実に抜け止め係止させることが可能となる。
【００１５】
さらに、本発明による電子機器は、上記のような電気光学装置を有することを特徴とす
る。上記のような電気光学装置を有することで、電子機器の構成が簡略化されると共に、
部品点数および組立工数が削減され、容易・安価に製造することが可能となる。
【発明を実施するための最良の形態】
【００１６】
以下、本発明を液晶装置に適用した場合を例にして本発明による電気光学装置を、図に
示す実施形態に基づいて具体的に説明する。図１（ａ）は本発明による電気光学装置とし
ての液晶装置の一実施形態を示す平面図、同図（ｂ）はその側面図、図２および図３はそ
れぞれ図１におけるＡ−ＡおよびＢ−Ｂ断面図である。
【００１７】
本実施形態の電気光学装置としての液晶装置１は、図２および図３に示すように電気光
学パネルとしての液晶パネル２と、その液晶パネル２の背面側に配設されるバックライト
ユニット３とを、それらの支持部材としてのフレーム４に嵌合保持させた状態で、図１〜
図３に示すように有底筒状のケース５内に収容配置したものである。
【００１８】
上記フレーム４は、本実施形態においてはポリカーボネイト樹脂等の合成樹脂により図
２および図３に示すように全体的にやや扁平な直方体状で、周辺部に平面略方形枠状の側
壁部４１〜４３を有し、その内方に、中央部に透光用の開口部４４ａを有する仕切板状の
支持部４４を一体に設けた断面略Ｈ字形に形成され、そのＨ字形フレーム４の一方の凹部
（図の場合は上記支持部４４よりも上側の凹部）４０ａ内に液晶パネル２を、他方の凹部
（図の場合は上記支持部４４よりも下側の凹部）４０ｂ内にバックライトユニット３をそ
れぞれ嵌合保持させて収容配置するようにしたものである。
【００１９】
なお、上記液晶パネル２およびバックライトユニット３は必要に応じて接着材や両面接
着テープ等で上記フレーム４に固着してもよく、本実施形態においては液晶パネル２はフ
レーム４に接着材で固定されているが、図には省略した。また上記バックライトユニット
３は、液晶パネル２に対して所定の領域以外に光が照射されるのを防ぐための遮光部材を
兼ねる略方形枠状の両面接着テープ３１を介して上記フレーム４の支持部４４の一方の面
（図の場合は下面）に固着した構成である。
【００２０】
ケース５は、本実施形態においてはステンレス等の金属板により一端側、図の場合は上
記液晶パネル２等の挿入方向前側（奥側）が底面部５１で閉塞され、それと反対側に上記
液晶パネル２等の挿入用の開口部５２を有する有底筒状に形成されている。特に図の場合
は上記液晶パネル２の厚さ方向（図２および図３で上下方向）における上記ケース５の外
径寸法（図２および図３において上面部５４と下面部５５との間隔）を、それと交差する
方向の外径寸法（図３で左右両側の側面部５３・５３の間隔）よりも大幅に小さく形成し
た扁平な有底角筒状に形成したものである。そのケース５の上面部５４の上記液晶パネル
２の画素領域（表示領域）に対応する位置には、その部分を開口させて形成した表示窓５
ａが設けられている。
【００２１】
上記液晶パネル２とバックライトユニット３とは、上記フレーム４に嵌合保持させた状
態で上記ケース５の後端側の開口部５２から挿入して該ケース５内に収容配置するもので
、その際、上記ケース５内への挿入量を規制するための位置決めストッパを必要に応じて
設けるようにしてもよい。本実施形態は、上記位置決めストッパとしてフレーム４の一端
側、特に図の場合は上記ケース５への挿入方向前側の側壁部（以下、前壁部という）４１
と反対側の側壁部（以下、後壁部という）４２に、ケース５の開口部５２よりも径方向外
方に突出するフランジ状の突出部４２ａを、上記後壁部４２と一体に設けたものである。
【００２２】
また上記液晶パネル２とバックライトユニット３とを上記ケース５内に収容配置した状
態に抜け止め係止させるための係止手段を必要に応じて備えてもよく、本実施形態におい
ては上記係止手段として上記フレーム４の前壁部４１および後壁部４２と交差する方向に
おいて互いに対向する側壁部４３・４３に突起４ｃを設けると共に、その突起４ｃに係合
する係止孔５ｃを、上記ケース５の底面部５１と交差する方向において互いに対向する側
面部５３・５３に設けたものである。
【００２３】
上記液晶パネル２の構成は適宜であるが、本実施形態は画素用のスイッチング素子とし
て薄膜トランジスを用いたアクティブマトリックス型の液晶パネルを用いたもので、その
具体的な構成を図４に基づいて説明する。図４（ａ）は上記液晶パネル２の平面図、同図
（ｂ）は（ａ）におけるｂ−ｂ断面図である。
【００２４】
本実施形態の液晶パネル２は上記のように薄膜トランジスタを画素用のスイッチング素
子として用いたもので、その薄膜トランジスタは、図４に示す石英やガラスもしくはシリ
コン等からなる素子基板（ＴＦＴアレイ基板）１０上に設けられ、その素子基板１０に対
向してガラスや石英等からなる対向基板２０が設けられている。その素子基板１０と対向
基板２０とは、画素領域（画像表示領域）２Ａの周囲に設けたシール材２４により相互に
接着固定され、そのシール材２４の内側の素子基板１０と対向基板２０との間に液晶を注
入した液晶層３０が設けられている。図４において、２４ａは上記シール材２４の一部を
欠落させて形成した液晶注入口、２４ｂはその液晶注入口２４ａを塞ぐ封止材である。
【００２５】
上記シール材２４の外側の領域、すなわち上記画素領域２Ａの外側の周辺領域には、不
図示のデータ線に画像信号を所定のタイミングで供給することにより該データ線を駆動す
るデータ線駆動回路１４および外部回路接続端子１５が素子基板１０の一辺に沿って設け
られている。また不図示の走査線に走査信号を所定のタイミングで供給することにより該
走査線を駆動する走査線駆動回路１６が、上記の一辺に隣接する二辺と平行に且つ上記シ
ール材２４の内側に設けた遮光膜２６に対向する位置において上記素子基板１０上に設け
られている。さらに素子基板１０の残る一辺には、上記二辺と平行に設けられた走査線駆
動回路１６の上記外部回路接続端子１５側と反対側をつなぐための複数の配線１７が設け
られている。
【００２６】
上記シール材２４の４つのコーナー部における素子基板１０上には上下導通端子１９が
形成され、素子基板１０と対向基板２０相互間には、下端が上下導通端子１９に接触し、
上端が対向電極２０に接触する上下導通材１８が設けられており、その上下導通材１８に
よって、素子基板１０と対向基板２０との間で電気的な導通がとられている。その素子基
板１０と対向基板２０の外面側（液晶層２５と反対側）には、それぞれ偏光板１１，２１
が配置固定されている。
【００２７】
上記素子基板１０の内面側（液晶層２５側）には画素を構成する画素電極１２等が設け
られ、その内側には配向膜１３が設けられている。また上記対向基板２０上にはその略全
面にわたって対向電極２２が設けられ、その内面側にも配向膜２３が設けられている。そ
の各配向膜１３，２３は、例えば、ポリイミド膜等の透明な有機膜からなり、その表面に
ラビング処理等を施こすことによって上記液晶層２５内の液晶分子が、該液晶層２５に供
給される電圧に応じて所定の方向に配向する構成である。
【００２８】
図１〜図３の実施形態は、上記図４のように構成された液晶パネル２を上下反転させて
フレーム４に嵌合保持させたものであるが、上記液晶パネル２の向きやフレーム４に対す
る嵌合構造等は適宜変更可能である。また図１〜図３の実施形態で用いたバックライトユ
ニット３は、ＬＥＤ等の光源からの光を導光体や光拡散板等を介して上記液晶パネル２の
背面側に照射する構成であり、それらの構成部材をケーシング等で覆ってユニット化した
ものである。そのバックライトユニット３の構成部材や内部構造等は適宜変更可能であり
、図示例においては上記構成部材や内部構造等は省略して全体的な外観形状のみを表した
ものである。
【００２９】
上記のように構成された液晶パネル２およびバックライトユニット３をケース５内に収
容配置する際の手順等は適宜であるが、例えば以下の要領で行えばよい。先ず、図５（ａ
）のように断面略Ｈ字形のフレーム４の一方（図の場合は上側）の凹部４０ａ内に液晶パ
ネル２を、他方（図の場合は下側）の凹部４０ｂ内にバックライトユニット３を、それぞ
れ挿入して上記フレーム４に嵌合保持させる。次いで、そのフレーム４に嵌合保持させた
液晶パネル２とバックライトユニット３とを上記フレーム４と共に、図５（ｂ）の矢印の
ようにケース５の開口部５２からケース内に挿入して収容配置すればよい。
【００３０】
その際、前述のように必要に応じて液晶パネル２とバックライトユニット３のケース５
内への挿入量を規制する位置決めストッパを設けると、上記パネル２およびバックライト
ユニット３を所定位置に位置決め固定できるもので、上記実施形態においては前述のよう
に上記位置決めストッパとしてフレーム４の後壁部４２に、有底筒状のケース５の開口部
５２よりも径方向外方に突出するフランジ状の突出部４２ａを設けたものである。上記フ
レーム４を、例えば図６の状態から図１（ｂ）のようにケース５内に挿入する際に、上記
突出部４２ａがケース５の開口部５２に当接して、上記フレーム４がそれ以上ケース５内
に進入するのが阻止され、それによって上記フレーム４に嵌合保持させた液晶パネル２と
バックライトユニット３とを上記ケース５内の所定位置に精度よく位置決め固定すること
ができる。
【００３１】
また必要に応じて上記液晶パネル２とバックライトユニット３とを上記ケース５内に収
容配置した状態に抜け止め係止させるための係止手段を設けると、上記パネル２とバック
ライトユニット３とをケース５内に収容した状態に確実に抜け止め係止させることができ
る。上記実施形態においては、前述のように上記係止手段としてフレーム４の互いに対向
する側壁部４３・４３に突起４ｃを設けると共に、その各突起４ｃに係合する係止孔５ｃ
を上記ケース５の互いに対向する側面部５３・５３に設けた構成であり、上記フレーム４
を、図６の状態から図１（ｂ）のようにケース５内に挿入する際に、上記係止孔５ｃの縁
部フレーム４の突起４ｃがケース５の係止孔５ｃに係合してフレーム４がケース５に対し
て抜け止め係止され、それによって上記フレーム４およびそれに嵌合保持させた液晶パネ
ル２とバックライトユニット３が上記ケース５から抜け落ちるのを防ぐことができるもの
である。
【００３２】
なお、上記実施形態は、位置決めストッパとしてフレーム４の後壁部４２に、ケース５
の開口部５２よりも径方向外方に突出するフランジ状の突出部４２ａを、図３に示すよう
に上記後壁部４２の周縁部全周に設けて、上記突出部４２ａがケース５の開口部５２の全
周に当接する構成とし、それによって上記開口部５２が、上記突出部４２ａを有するフレ
ーム４の後壁部４２によって完全に閉塞されるようにしたものであるが、上記突出部４２
ａは上記後壁部４２の一部にのみ設けるようにしてもよく、また上記突出部４２ａの形状
等は適宜変更可能である。
【００３３】
また係止手段として上記実施形態は、フレーム４の互いに対向する側壁部４３・４３の
外面側にそれぞれ突起４ｃを設けると共に、その突起４ｃに係合する係止孔５ｃを上記ケ
ース５の互いに対向する側面部５３・５３に設けたが、その突起４ｃと係止孔５ｃの配置
位置や個数は適宜である。また上記係止孔５ｃの代わりに上記突起４ｃが係合する凹部等
を上記ケース５に設け、上記突起４ｃの代わりに爪等を設けるようにしてもよい。或いは
上記の突起や爪等をケース５に設け、それに係合する凹部や孔等を上記フレーム４に設け
るようにしてもよい。
【００３４】
図７はその一例を示すもので、フレーム４の互いに対向する側壁部４３・４３の外面側
に凹部４ｄを設け、それに係合する切り越し爪５ｄをケース５の対向する側面部５３・５
３に設けたものである。その切り越し爪５ｄは常時ケース５の側面部５３よりも内方に突
出した状態にあり、その状態でケース５内にフレーム４を挿入すると、そのフレーム４に
押されて切り越し爪５ｄが外方に撓みながらフレーム４のケース５内への進入を許容し、
フレーム４の凹部４ｄが切り越し爪５ｄの位置まで移動すると、その切り越し爪５ｄが上
記ケース５の内方側に突出した状態に復帰して上記凹部４ｄと係合し、それによって上記
フレーム４およびそれに嵌合保持させた液晶パネル２とバックライトユニット３が上記ケ
ース５内に挿入された状態に抜け止め係止される構成である。
【００３５】
なお、上記各実施形態は、互いに係合する突起や爪等と、凹部や孔等とからなる上記の
係止手段をケース５とフレーム４とに設けたが、ケース５と液晶パネル２またはケース５
とバックライトユニット３に設けるようにしてもよく、或いはそれら複数の部材間に設け
るようにしてもよい。また上記係止手段は、突起や爪等と、凹部や孔等が互いに凹凸係合
して液晶パネル２やバックライトユニット３およびフレーム４がケース５に対して抜け止
め係止し得るものであればよく、それらの構成は適宜変更可能である。
【００３６】
また上記実施形態は、ケース５として、その一端側が底面部５１で閉塞された有底筒状
のものを用いたが、例えば図８に示すようにケース５の両端部が開口した筒状、特に角筒
状のものを用いるようにしてもよい。なお、図８においては上記ケース５の両端部が開口
している以外は図１〜図３の実施形態と同様に構成されており、フレーム４の前壁部４１
はケース５の内面との間に殆ど隙間なく密着嵌合させた構成であるが、その用途や電子機
器等への組み付け構造等によってはケース５との間に配線用もしくはその他の目的で隙間
を設けるようにしてもよい。
【００３７】
さらに上記各実施形態は、液晶パネル２やバックライトユニット３を支持する支持部材
としてフレーム４を用いたが、それに限らず例えば液晶パネル２およびバックライトユニ
ット３を収容する容器やトレーその他各種の支持部材を用いることもできる。図９はその
一例を示すもので、上記支持部材として上面が開口する容器６を用い、その容器６内に液
晶パネル２とバックライトユニット３とを収容した状態で上記と同様のケース５内に収容
配置するようにしたものである。
【００３８】
上記のような容器６を用いた場合にも、上記のような液晶パネル２等のケース５内への
挿入量を規制する位置決めストッパや、ケース５内に収容配置した状態に抜け止め係止さ
せる係止手段を必要に応じて設けることができる。上記図９の実施形態は上記位置決めス
トッパとしてのストッパ板６０を上記容器６の側壁面、特に図の場合はケース５内への挿
入側と反対側の側壁部（後壁部）６２に接着材等により一体的に固着したものであるが、
上記容器６と一体に形成することもできる。また上記係止手段として上記と同様にケース
５に設けた係止孔５ｃに係合する突起６３ａを上記容器６の側壁部６３の外面側に一体的
に設けた構成である。なお、上記の係止手段と位置決めストッパの構成は上記実施形態と
同様に適宜変更可能である。
【００３９】
上記各実施形態は、液晶パネル２やバックライトユニット３をフレーム４や容器４０等
の支持部材に支持させた状態でケース５内に収容配置するようにしたが、上記のような支
持部材を用いることなく、例えば図１０に示すように液晶パネル２とバックライトユニッ
ト３とを直接上記ケース５内に収容配置するようにしてもよい。その場合、液晶パネル２
とバックライトユニット３とは単に重ねた状態で上記ケース５内に収容配置するか、ある
いは接着材もしくはその他適宜の固着手段で固着した状態で上記ケース５内に収容配置す
るようにしてもよい。
【００４０】
図の場合は上記液晶パネル２とバックライトユニット３とを、その両者間の周辺部に介
在させた遮光部材を兼ねる略方形枠状の両面接着テープ３１で固着した状態で上記ケース
５内に収容配置したものである。上記のような場合にも必要に応じて上記の位置決めスト
ッパや係止手段を設けるようにしてもよく、それらは上記液晶パネル２とケース５との間
またはバックライトユニット３とケース５との間、もしくはそれらの両方の間にそれぞれ
上記のように関係的に設けるようにすればよい。
【００４１】
また上記実施形態は、電気光学装置として液晶装置に適用し、電気光学パネルとしてア
クティブマトリックス型の液晶パネルを用いた場合を例にして説明したが、パッシブマト
リクス型の液晶パネルを用いてもよく、また液晶パネルに限らず、その他各種の電気光学
パネルを用いて上記液晶装置と同様の構成の電気光学装置を得ることもできる。
【００４２】
さらに上記のように構成した電気光学装置を各種の電気機器の表示部や表示装置等とし
て用いることができる。図１１はその一例を示すもので、上記のように構成された電気光
学装置として液晶装置１を、電子機器７としてのデジタルカメラ７０におけるエレクトリ
カルビューファインダ（ＥＶＦ）として用いたものである。図中７１は画像表示モニタ、
７２はシャッタボタン、７３はダイヤルスイッチ、７４は電源ボタンである。
【００４３】
本発明による電気光学装置は、上記のようなデジタルカメラに限らず、その他各種の電
気機器にも適用可能であり、例えば携帯電話機やＰＤＡ(Personal Digital Assistants)
と呼ばれる携帯型情報機器、携帯型パーソナルコンピュータ、パーソナルコンピュータ、
ワークステーション、デジタルスチルカメラ、車載用モニタ、デジタルビデオカメラ、液
晶テレビ、ビューファインダ型、モニタ直視型のビデオテープレコーダ、カーナビゲーシ
ョン装置、ページャ、電子手帳、電卓、ワードプロセッサ、ワークステーション、テレビ
電話機、およびＰＯＳ端末機などの電子機器にも広く利用することができる。
【図面の簡単な説明】
【００４４】
【図１】（ａ）は本発明による電気光学装置としての液晶装置の一実施形態を示す平面図、（ｂ）はその側面図。
【図２】図１におけるＡ−Ａ断面図。
【図３】図１におけるＢ−Ｂ断面図。
【図４】（ａ）は電気光学パネルとしての液晶パネルの具体的な構成の一例を示す平面図、（ｂ）は（ａ）におけるｂ−ｂ断面図。
【図５】（ａ）および（ｂ）は液晶パネルとバックライトユニットとをケース内に収容配置する際のプロセスの一例を示す説明図。
【図６】液晶パネルとバックライトユニットとを支持するフレームをケース内に押し込む状態の説明図。
【図７】（ａ）は液晶パネルとバックライトユニットとをケース内に収容配置した状態に抜け止め係止させる係止手段の変更例を示す一部の平面図、（ｂ）はその側面図。
【図８】本発明による電気光学装置としての液晶装置の他の実施形態を示す縦断面図。
【図９】（ａ）は本発明による電気光学装置としての液晶装置の更に他の実施形態を示す縦断面図、（ｂ）は上記液晶装置を組み付ける状態の説明図。
【図１０】本発明による電気光学装置としての液晶装置の更に他の実施形態を示す縦断面図。
【図１１】本発明による電気光学装置としての液晶装置を用いた電子機器としてのデジタルカメラの背面図。
【符号の説明】
【００４５】
１…液晶装置（電気光学装置）、２…液晶パネル（電気光学パネル）、１０…素子基板
、２０…対向基板、１１、２１…偏光板、１２…画素電極、２２…対向電極、１３、２３
…配向膜、２４…シール材、２５…液晶層、３…バックライトユニット、３１…両面接着
テープ、４…フレーム、４ｃ…突起、４ｄ…凹部、４０ａ、４０ｂ…凹部、４１…側壁部
（前壁部）、４２…側壁部（後壁部）、４２ａ…突出部、４３…側壁部、４４…支持部、
４４ａ…開口部、５…ケース、５ａ…表示窓、５ｃ…係止孔、５ｄ…切り越し爪、５１…
底面部、５２…開口部、５３…側面部、５４…上面部、５５…下面部、６…容器、６０…
ストッパ板、７…電子機器、７０…デジタルカメラ。
【図１】
2010117639.tif 000003
【図２】
2010117639.tif 000004
【図３】
2010117639.tif 000005
【図４】
2010117639.tif 000006
【図５】
2010117639.tif 000007
【図６】
2010117639.tif 000008
【図７】
2010117639.tif 000009
【図８】
2010117639.tif 000010
【図９】
2010117639.tif 000011
【図１０】
2010117639.tif 000012
【図１１】
2010117639.tif 000013